(57)【要約】【課題】所謂ＩＣカードまたはＳＩＭ（加入者ＩＤモジュール）を含むチップカード用接触デバイスにおいて、カバーのロック位置の正確な状態を提供する。【解決手段】前記ハウジング本体１２へと回動され、続いて前記ハウジング本体１２に対して平行に移動した後に、前記カバー１４が前記ハウジング本体にロック可能とされ、切換接触部２６が前記カバー１４内に配置され、かつチップカード２０が挿入されかつカバー１４が前記ハウジング本体１２にてロックされた場合にのみ電気的に作動するように、前記切換接触部が配置構成されている。【選択図】図２
2008181894.tif 000002
【特許請求の範囲】
【請求項１】
チップカード用の接触デバイスであって、
チップカード（２０）の各接触面と対応して接触するための接触部（２２）が配置されたハウジング本体（１２）と、該ハウジング本体（１２）に回動可能に結合されたカバー（１４）とを有するハウジングを備えて成り、
前記カバー（１４）が、前記ハウジング本体（１２）へと回動され、続いて前記ハウジング本体（１２）に対して平行に移動した後に前記ハウジング本体にロック可能とされ、
可動とされた切換接触部（２６）が前記カバー（１４）内に配置され、かつチップカード（２０）が挿入されかつカバー（１４）が前記ハウジング本体（１２）にてロックされた場合にのみ電気的に作動され、接触デバイスにおける前記チップカード（２０）の機能位置が示されるように、前記切換接触部が配置構成されていることを特徴とするチップカード用接触デバイス。
【請求項２】
前記切換接触部（２６）が、ロック位置において、前記カバー（１４）と平行な平面での前記カバー（１４）の移動方向に対し垂直方向に互いに一定距離離間して前記回路板（２８）に配置された第１接触位置部（３０）と第２接触位置部（３２）と協働し、
前記接触位置部（３０，３２）が前記カバー（１４）の前記移動方向の同一位置にて終端していると共に、前記各接触位置部のうちの一方が他方よりも短いことを特徴とする請求項１記載の接触デバイス。
【請求項３】
前記切換接触部（２６）が、ロック位置において、前記カバー（１４）と平行な平面での前記カバー（１４）の移動方向に対し垂直方向に互いに一定距離離間して前記回路板（２８）に配置された第１接触位置部（３０）と第２接触位置部（３２）と協働し、
前記各接触位置部（３０，３２）が、前記移動方向において同一の長さを有する一方で、前記第１接触位置部（３０）が、電気的作動不可能部（３０．１）と該電気的作動不可能部（３０．１）の前方にて前記カバー（１４）の前記移動方向に延在している電気的作動可能部（３０．２）とに分割されていることを特徴とする請求項１記載の接触デバイス。
【請求項４】
前記切換接触部（２６）は略平板状を為し、長手方向の一端が前記カバー（１４）によって支持されていると共に、長手方向の他端は自由端部とされており、
前記カバー（１４）が、チップカード（２０）を有することなく閉鎖されている場合に、前記切換接触部（２６）の前記自由端部が、前記機能位置を示すように電気的に作動されることなく、前記チップカード（２０）が占有する空間部（Ｒ）内に突出するか、又は前記カバー（１４）の境界を定めるカバー表面部（１４ｆ）内に設けられた開口部（Ｏ）内に突出することを特徴とする請求項１から３のいずれか一項に記載の接触デバイス。
【請求項５】
前記切換接触部（２６）が単一部材構成から成ることを特徴とする請求項４記載の接触デバイス。
【請求項６】
前記切換接触部（２６）が、２つの切換接触脚部（２６Ａ，２６Ｂ）が形成されている状態で、軸線方向に少なくとも部分的にスロットが形成されていることを特徴とする請求項４記載の接触デバイス。
【請求項７】
チップカード（２０）が挿入されることなく前記カバー（１４）が閉鎖されかつロックされた場合に、前記切換接触部（２６）が機械的に負荷されないように配置構成されていることを特徴とする請求項４記載の接触デバイス。
【請求項８】
前記切換接触部（２６）が前記カバー（１４）内にスナップ結合されていることを特徴とする請求項４記載の接触デバイス。
【請求項９】
前記カバー（１４）内に前記チップカード（２０）が挿入されると、該チップカード（２０）によって、前記切換接触部（２６）の前記自由端部が、前記カバー（１４）の外方に向けて押されることを特徴とする請求項４記載の接触デバイス。
【請求項１０】
前記各接触位置部（３０，３２；３０．１，３０．２，３２）と協働する前記各脚部（２６Ａ，２６Ｂ）の前記各接触部（２６ＡＫ，２６ＢＫ）が、前記脚部（２６Ａ，２６Ｂ）の中央長手軸線（２６ＡＭ，２６ＢＭ）に対して対称な突形状としたものよりも、大きな間隔を互いに有するように、前記各脚部（２６Ａ，２６Ｂ）が対応する接触位置部（３０，３２；３０．１，３０．２，３２）の方向に非対称突状に形成されていることを特徴とする請求項６記載の接触デバイス。
【発明の詳細な説明】
【技術分野】
【０００１】
本発明は、チップカード用接触デバイスに関するものである。ここで、チップカードとの用語は、所謂ＩＣカード又はＳＩＭ（加入者ＩＤモジュール）も含んでいる。いずれにせよ、チップカードは、対応する接触面を備えたチップ（接触イメージ）を有している。カードが挿入された場合に、この接触面は接触デバイス内で接触デバイスの対応する接触部と接触する。
【背景技術】
【０００２】
公知の接触デバイスは、チップカード上の対応する接触面と接触するための各接触部が構成されたハウジング本体と（通常）前記ハウジング本体に回動可能に結合されかつチップカードを受け入れるためのカバーとを有するハウジングを備えている。ここで、基部本体に対して回動された後、引き続き該基部本体に対して平行に移動することで、カバーが基部本体にロック可能である。カバーは単一パーツ構成または複数パーツ構成とすることも可能であり、そのため以下の記載では、カバーとの記載は常にカバー部材の意味でも理解されたい。
【０００３】
このような接触デバイスは実際には公知のものである。
【０００４】
同様の接触デバイスが特許文献１にて記載されている。ロック状態を示すために、公知の接触デバイスは、２つの分離した切換接触部とカバーにて配置された短絡ブリッジを有している。
【０００５】
このデバイスの欠点は、チップカードが存在しない場合であっても、カバーとハウジング本体とのロック状態が表示されることである。
【０００６】
接触デバイスを製造する場合には、切換接触部を有する各接触部が対応するプリント回路板上にてはんだ付けされる。これは、カバーが閉じられる（ロックされる）とともに行われる。従って、公知のデバイスは、プリント回路板上に接触デバイスをはんだ付けする処理中に、切換接触部に対して機械的かつ熱的に負荷がかかり、このために接触力の低下につながるとの欠点をさらに有している。
【０００７】
特許文献２において、２つの切換接触部から成るスイッチを有するＩＣカード読取装置が記載されている。さらに、特許文献１の図面のように、２つの切換接触部が必要となるとの点で難点が生じている。
【０００８】
特許文献３において、カードの有無を示すための表示器を有するＳＩＭカード用接触デバイスが開示されている。しかしながら、ここで、表示器は、カバーがまだロック位置にない時に既に作動している。これは、作動エラーを招く可能性がある。
【特許文献１】欧州特許第０４７２６９２号明細書
【特許文献２】欧州特許第０５９５３０５号明細書
【特許文献３】独国特許出願公開第１９７４３９３７号明細書
【特許文献４】特表平５−５０２９５９号公報
【特許文献５】国際公開第９８／４１９４６号パンフレット
【発明の開示】
【発明が解決しようとする課題】
【０００９】
本発明の目的は、単純な構成から成り、かつ作動位置において専ら作動する前述した種類の接触デバイスを提供することである。
【課題を解決するための手段】
【００１０】
本発明の主要な考えは、チップカードが挿入されかつカバーがロックされた場合に専ら作動するように切換接触部を構成しかつ配置することである。このために、カバーをハウジング本体上に位置決めする場合に、（例えば、カバー内に挿入された）チップカードが対応するプリント回路板上の各接触位置を有する第１接触位置に切換接触部を移動させることが可能である。しかしながら、本発明によると、この第１接触位置は電気的に作用しない状態を維持するように構成されている。さらに本発明の要旨は、この点についてハウジング本体に対してカバーをロックする場合に、切換接触部が電気的に作動される第２接触位置に切換接触部を移動させることが可能であることを前提としている。例えば、この第２接触位置は切換接触部により短絡可能とされている。
【００１１】
前述の種類の接触デバイスに基づいて、本発明は、チップカードが挿入されかつカバーがハウジング本体上でロックされた場合に、専ら電気的に作動するように構成されかつ配置されたカバー内に設けられた切換接触部を具備している。
【００１２】
これに関連して、切換接触部は、第１接触位置部及び第２接触位置部と協働可能である。これら第１接触位置部及び第２接触位置部は、ロック位置にて互いに所定間隔離間し、カバーと平行な面内にてカバーの移動方向に対し垂直方向に配置されている。ここで、各接触位置は、カバーの移動方向の同一位置にて終端しているが、各接触位置部のうちの一方が他方よりも短い。
【００１３】
本実施形態では、前記切換接触部が、前述した第１接触位置において一つの接触位置部に位置している。切換接触部は、カバーがロック位置に移動することによってのみ同時に各接触位置部に到達し、そのため、電気的に作動状態となる（例えば、短絡状態になる）。
【００１４】
（特に、カバーのロック位置への移動中に）切換接触部の磨耗を可能な限り最小限に留めるために、別の実施形態では、カバーの方向において同寸法に各接触位置部を構成するが、一の接触位置部を電気的不作動部と電気的作動部とに分離することを提案している。ここで、電気的作動部は、カバーの移動方向に対して電気的不作動部の前方に位置決めされている。
【００１５】
この実施形態では、カバーの移動中に、切換接触部が（上昇するとしても最小量だけ）上昇した接触位置へと上昇しなければならないことが防止されている。その代わりに、この実施形態では、切換接触部が前述の２つの接触位置部を有する所定の平面に沿って滑走する。
【００１６】
スロットが形成された切換接触部が使用される場合には、上記第２の実施形態が特に有利である。これに関連して、”スロットが形成された”切換接触部との用語は、切換接触部が単一部材構成であって、さらに軸方向に貫通部（スロット）を有しており、そのため、例えば、切換接触材により各端部にて結合された平行な各延在部が形成されていると理解されるべきである。
【００１７】
詳細に上述した２つの接触位置部は、軸方向にて（前後して配置されて）互いに離間した２つの接触領域を有した切換接触部によっても実現することが可能である。ここで、上記記載に対する類推により、第２接触位置部においてのみ作動状態となる。よって、プリント回路板における各接触位置部も前後に配置されている。
【００１８】
接触デバイスといった限られた空間状態、及び隣接位置したプリント回路板の各接触位置部の間の最小空間のために、構成上の問題が生じるかもしれない。
【００１９】
従って、前記各接触位置部と協働する各脚部の各接触部が、各脚部の中央長手方向軸線に対して対称的な突状とされた形状と比較して互いに広く離間するように、各脚部（各切換接触脚部）が対応する各接触位置部に近づく方向に非対称突形状に形成された接触デバイスが提案されている。
【００２０】
各切換接触部の２つの脚部の各接触位置部の離間距離を大きくすることによって、プリント回路板において対応する各接触位置部の離間距離を大きくすることが可能であり、かつ接触デバイスの安全性を増大可能である。
【００２１】
同時に、各脚部を突状構成とすることにより、対応する各接触位置部での安全な接触が達成される。
【００２２】
前記切換接触部は、カバー内部に配置され、かつ例えば射出成形により各部を備えたカバーの絶縁材料内にて埋設することが可能であり、又はカバー上に押圧可能又はカバー内部にスナップ係合可能である。一実施形態によると、カバーが開放された場合（カード無し）に、自由端部（接触端部）が、作動位置にて、チップカードが占有する空間部内に突出するように構成されている。カバーが閉鎖された場合（カード無し）であっても、この位置は切換接触部により維持されるべきである。反対に、カードが挿入された場合に、カードが（カバーがハウジング本体上に位置決めされるとすぐに、しかし未だハウジング本体にロックされていない）第１の電気的作動不可能接触位置へと切換接触部を押圧する。
【００２３】
さらに、別の実施形態では、カバーが閉鎖されかつロックされるがチップカードが挿入されていない場合であっても機械的に負荷されないように、前記切換接触部が配置構成されている点を提案している。
【００２４】
このために、カバー表面は開口部を有し、かつチップカードがデバイス内に挿入されていない場合には、接触自由端部が該開口部内へと突出している。これは、切換接触部を機械的に引張ることなく、接触デバイスを対応するプリント回路板上へはんだ付け可能であるとの利点を有している。
【００２５】
切換接触部の制御端部（すなわち、チップカードにより負荷された端部）を電気的に絶縁するように構成することが可能である。これは、切換が行われた場合に、短絡ブリッジ（切換接触部の第２接触位置）が橋渡しすることでプリント回路板上の各接触位置部の電位差をなくすので、カードと切換接触部との短絡を確実に防止可能であることを意味している。
【発明の効果】
【００２６】
前述した特許文献１と比較すると、以下の有利点が導き出される。
【００２７】
２つの切換接触部の代わりに、１つの切換接触部だけが必要とされている。切換接触部は、カードが挿入されかつ接触デバイスのロック状態でのみ作動可能である。これに関連して、チップカードが、ハウジングカバー（さらにハウジング本体）内の対応する凹所に配設可能である。（ロックされたカバーとともに、ただしカード無しで）接触デバイスを対応するプリント回路板上にはんだ付けする場合に、切換接触部が機械的に負荷されていない。
【００２８】
本発明のさらなる特徴点については、クレームの特徴点及びクレーム以外の本出願書面から理解されよう。
【発明を実施するための最良の形態】
【００２９】
以下、複数の異なる実施形態を記載することで、より詳細に本発明を説明する。
【００３０】
図１において、参照符号１０はハウジング本体１２と該ハウジング本体に回動可能に結合（結合部１６）されたカバー１４とを備えた本発明による接触デバイスを示す。
【００３１】
カバー１４は、その両端部上にてそれぞれ結合部１６の方向へと延在するガイドレール１８を有している。カバー１４が開放位置にある場合に、対応するチップカード２０が前記各ガイドレールに沿って挿入可能とされている。
【００３２】
各接触部２２が、前記ハウジング本体１２にて配置されかつ接触面２４から各接触端部２２．１により突出している。
【００３３】
図２に示すように、切換接触部２６がカバー１４内に配置されている。該切換接触部は、カバー１４が閉鎖されかつチップカード２０が挿入されていない場合であっても、空間部Ｒ内と上部カバー表面部１４ｆの開口部Ｏ内へ負荷することなく突出している。切換接触部２６は湾曲接触部２６．１を有している。該湾曲接触部２６．１の機能については、以下の記載にてより詳細に説明する。
【００３４】
図２において、参照符号２８はプリント回路板を示している。該基板上にて接触部２２がはんだ付けされている（図４：はんだ付け位置部３４）。
【００３５】
図２による位置において、切換接触部２６が所定の間隔にてプリント回路板２８に位置決めされている。
【００３６】
前記プリント回路板２８上には（図４）、はんだ付け位置部３４に加えて接触部２２のために２つの接触位置部３０，３２が配置されている。各接触位置部は長方形形状を有している。各接触位置部３０，３２は互いに隣接して延在している。しかしながら、接触位置部３０は符号３４の位置にて長手方向の長さが制限されている。接触位置部３０の２つの部分には符号３０．１及び符号３０．２が付されている。
【００３７】
接触部３０．１は電気的に不作動である（絶縁されている）。一方、接触部３０．２と接触位置部３２は電気的に作動可能である。
【００３８】
前記デバイスの機能は以下の通りである。
【００３９】
図１（矢印Ｐ）にて概略的に示したように、チップカード２０が、後方接触端部１４ｋに接触するまで、カバー１４内に導入される。これに関連して、チップカード２０は、切換接触部２６を（図にて左側へ）押圧する。チップカード２０上の各接触面が各接触部２２の各接触端部２２．１と接触するまで、実質的に、カバー１４が結合部１６を中心としてハウジング本体１２へと回動する。同時に、切換接触部２６の接触領域２６．１が前記プリント回路板２８の接触部３０．１及び接触位置部３２と接触する。
【００４０】
前記接触部３０．１が電気的に不作動であるので、切換接触部２６のこの第１接触位置は何ら作用を与えない状態を維持している。
【００４１】
カバー１４は、図２，図３にて示された最終ロック位置に到達するまで、前記ハウジング本体１２と平行に結合部１６に沿って（図２，図３の左側に）移動する。
【００４２】
（切換接触部２６と共に接触デバイス１０におけるチップカード２０の機能位置を示す）短絡ブリッジを形成する前記プリント回路板２８の接触部３０．２と接触位置部３２とに位置するまで、切換接触部２６がカバーと平行に移動する。
【００４３】
各切換接触脚部２６Ａ，２６Ｂの”外側方向に非対称に食い違った”形状により、図６による実施形態において対応する接触部２６ＡＫ，２６ＢＫが、図１による実施形態（間隔ａ）と比較してより大きな間隔ｂを有していることを図５及び図６は示している。
【００４４】
この特徴点をよりよく図示するために、各脚部２６Ａ，２６Ｂの各中央長手軸線２６ＡＭ，２６ＢＭが、図５及び図６にて示されている。
【００４５】
従って、図６における脚部２６Ａの接触部２６ＡＫは、図５の接触部と比較して左側に位置しており、かつ図６の脚部２６Ｂの接触部２６ＢＫが図５の接触部に対して右側に位置している。
【００４６】
これは、対応する各接触位置３０，３２の間隔が、図５による実施形態と比較して図６による実施形態ではさらに拡大可能である（間隔Ｂ＞間隔Ａ）ことを意味している。
【図面の簡単な説明】
【００４７】
【図１】開放カバーを有する接触デバイスを示す側面図である。
【図２】図１によるロック状態のチップカードを有しない接触デバイスを示す断面図である。
【図３】図１によるロック状態のチップカードが挿入された状態の接触デバイスを示す断面図である。
【図４】プリント回路板上での平面図である。
【図５】対称的な突形状をそれぞれ有する切換接触部の２つの脚部を示す図である。
【図６】非対称な突形状を有する切換接触部の２つの脚部を示す図である。
【符号の説明】
【００４８】
１２  ハウジング本体
１４  カバー
１４ｆ  上部カバー表面部
２０  チップカード
２２  接触部
２６  切換接触部
２６Ａ，２６Ｂ  切換接触脚部
２６ＡＫ，２６ＢＫ  接触部
３０  第１接触位置部
３０．１  接触部（電気的作動不可能部）
３０．２  接触部（電気的作動可能部）
３２  第２接触位置部
Ｒ  空間部
Ｏ  開口部
【図１】
2008181894.tif 000003
【図２】
2008181894.tif 000004
【図３】
2008181894.tif 000005
【図４】
2008181894.tif 000006
【図５】
2008181894.tif 000007
【図６】
2008181894.tif 000008